(57)【要約】      （修正有）【課題】低コスト・軽量でありながら、訴求力が高い広告用表示パネルを提供する。【解決手段】メインパネル１０には所定の一部領域に透光領域部２０が形成され、その透光領域部２０の裏面側には前面側から視認可能な液晶表示装置３０が設けられている。メインパネルの前面には透光領域部に対応した箇所に開口部を有する表示シートが透光シートによって挟むように取り付けられ、透光シートの周縁部がシート押さえ機構３５によって交換可能に保持されている。【選択図】図１
0003155354.tif 000002
【実用新案登録請求の範囲】
【請求項１】
スタンドに支持されたメインパネルと、前記メインパネルにその周縁部以外の所定の一部領域に形成された透光領域部と、前記メインパネルに設けられ前記透光領域部を透かして前記メインパネルの前面側から視認可能な平面ディスプレイ装置と、前記メインパネルの前面との間に前記透光領域部に対応した箇所に開口部を有する表示シートを挟む透光シートと、前記メインパネルの周縁部に設けられ前記透光シートの周縁部を押さえて前記表示シートを交換可能に保持するシート押さえ機構と、前記平面ディスプレイ装置に前記表示シートに表示された内容と関連づけた画像を表示させる画像表示制御装置とを備える広告用表示パネル。
【請求項２】
前記シート押さえ機構は、前記メインパネルの四辺において各辺の延長方向に沿って延びる支軸に回動可能に支持された押さえ縁部材と、この押さえ縁部材の前記支軸とは反対側に位置する回動端を前記メインパネルに弾性的に押し付けるスプリングとを備える請求項１記載の広告用表示パネル。
【請求項３】
前記メインパネルは、透明な合成樹脂パネルに前記透光領域部を残して遮光層を印刷して形成されている請求項１又は２記載の広告用表示パネル。
【考案の詳細な説明】
【技術分野】
【０００１】
本考案は、平面ディスプレイ装置を備えた広告用表示パネルに関する。
【背景技術】
【０００２】
近年、例えば液晶ディスプレイ装置等の平面ディスプレイ装置を利用した種々の広告用表示パネルが開発されている。例えば、特許文献１に記載の広告用表示パネルは、スタンドによって自立するように構成した縦型の扁平ケース内に液晶ディスプレイ装置を納めた構成である。このように液晶ディスプレイを使用して表示パネルを構成すると、動画を表示したり、様々な静止画像を順次切り換えて表示したりできるので、従来のポスター等の印刷物を掲示するだけの広告用表示パネルに比べて訴求力が高く、広告効果に優れるという利点があり、イベント会場の案内板、店舗の広告板等として利用されている。
【０００３】
ところが、この種の液晶ディスプレイは表示サイズが大きくなるほど高価で、かつ、重量が重くなる。このため、広告用表示パネルとして離れたところからでも目立つような大きさにしようとすれば、相当に高額な装置となり、かつ、重量が重くなって移動や収納に苦慮することになる。
【先行技術文献】
【特許文献】
【０００４】
【特許文献１】特開２００６−１７１０８１号公報
【考案の概要】
【考案が解決しようとする課題】
【０００５】
本考案は上記のような事情に基づいて完成されたものであって、平面ディスプレイ装置を備えて高い訴求力を得ながら、安価かつ軽量に構成できる広告用表示パネルを提供することを目的とする。
【課題を解決するための手段】
【０００６】
平面ディスプレイ装置によって広告を表示する場合、それが高い訴求力を有する理由は、動画を表示できること又は静止画を各種切り換えて表示できることに起因する。しかし、一方で、表示すべき広告情報のレイアウト等を工夫すれば、必ずしも広告情報の全体を動画として表示したり、画像を切り換えたりしなくても、済むはずである。例えば、山岳風景を撮影した動画の中で動く部分は雲や水の流れだけとすることができる。また、イベント会場の案内に使用する場合、イベント内容を案内する画像や文章は固定的に表示し、開催日時や会場を目立たせるために電光サイン風に文字を流して表示するなら、その部分の文字だけが動けば足りる。或いは、レストランのメニュー表示を行う場合、全ての広告情報を平面ディスプレイ装置によって表示させなくても、店のイメージ写真や一般的メニューについては固定的に表示し、一部の特別メニューや日替わりメニューの商品画像だけを切り替え表示させても、一般的なポスター掲示に比べて十分に訴求力が高まる。
【０００７】
本考案は、従来、考慮されていなかった上記の事情に着目することでなされたものである。本考案の広告用表示パネルは、スタンドに支持されたメインパネルと、前記メインパネルにその周縁部以外の所定の一部領域に形成された透光領域部と、前記メインパネルに設けられ前記透光領域部を透かして前記メインパネルの前面側から視認可能な平面ディスプレイ装置と、前記メインパネルの前面との間に前記透光領域部に対応した箇所に開口部を有する表示シートを挟む透光シートと、前記メインパネルの周縁部に設けられ前記透光シートの周縁部を押さえて前記表示シートを交換可能に保持するシート押さえ機構と、前記平面ディスプレイ装置に前記表示シートに表示された内容と関連づけた画像を表示させる画像表示制御装置とを備えるところに特徴を有する。
【０００８】
上記構成の広告用表示装置によれば、固定的に表示すれば足りる広告情報は前記表示シートに印刷や手書きで表示しておく。動画として表示又は静止画を切り替え表示したい広告情報は、表示シートの広告情報とマッチさせつつ、平面ディスプレイ装置に表示する。メインパネルに保持された表示シートにはメインパネルの一部領域に形成した透光領域部に対応した開口部があるから、ここから平面ディスプレイ装置を視認可能となる。このため、メインパネルを前面から見る者にとっては、メインパネルに表示されている表示シートと平面ディスプレイ装置に表示される情報とが一体化して視認され、一部で画像が動いているから、全体としては、あたかもメインパネルに相当する大きさの平面ディスプレイ装置があるようにも見える。
【０００９】
前記シート押さえ機構としては、前記メインパネルの四辺において各辺の延長方向に沿って延びる支軸に回動可能に支持された押さえ縁部材と、この押さえ縁部材の前記支軸とは反対側に位置する回動端を前記メインパネルに弾性的に押し付けるスプリングとを備える構成とすることが好ましい。これにより、表示シートの交換作業が極めて容易になる。
【００１０】
また、前記メインパネルは、透明な合成樹脂パネルに前記透光領域部を残して遮光層を印刷して形成することが好ましい。これにより表示パネルを開口部がない一枚板のパネルとして構成できるので、パネルの剛性が高くなり、また安価に製造できる。
【考案の効果】
【００１１】
本考案によれば、平面ディスプレイ装置を備えるので広告用表示パネルとして高い訴求力を得ながら、安価かつ軽量に構成することができる。
【図面の簡単な説明】
【００１２】
【図１】本考案に係る広告用表示パネルの斜視図である。
【図２】同じく平面図である。
【図３】同じく側面図である。
【図４】図２中のIV-IV線で切断した拡大断面図である。
【図５】図２中のV-V線で切断した拡大断面図である。
【図６】シート押さえ機構の拡大断面図である。
【図７】表示シートの正面図である。
【図８】表示シートをセットした状態の広告用表示パネルの正面図である。
【考案を実施するための形態】
【００１３】
本考案の一実施形態を図面を参照して説明する。
【００１４】
メインパネル１０は例えば無色透明なアクリル樹脂製であって、縦長のＢ１ポスターサイズに適合させてある。メインパネル１０の外周縁部の縦横各四辺には、周縁フレーム１１（図４及び図５参照）がビス止めしてある。
【００１５】
メインパネル１０の裏面には、左右両側部に２本の縦フレーム１２を固定してあり、その縦フレーム１２の上端部及び下端部よりに横フレーム１３がそれぞれ固定されている。各縦フレーム１２の上下方向の中央部近くには、横軸形のヒンジ機構１４を介して補助脚１５がそれぞれ取り付けられ、図２に示すように各補助脚１５を縦フレーム１２に対して開いた状態にしてメインパネル１０を後傾状態で立てておくことができる。なお、両補助脚１５間には縦フレーム１２と同様に２本の補強横フレーム１６が設けられている。これらの縦フレーム１２，横フレーム１３，ヒンジ機構１４，補助脚１５及び補強横フレーム１６は、メインパネル１０を支持するためのスタンド１７として機能する。
【００１６】
メインパネル１０の上半領域内には、周囲が枠状に囲まれた所定の領域を残して、黒色インクの印刷によって遮光層（図示せず）が形成されている。その遮光層を印刷した領域は、図２において交差斜線によって表示してあり、遮光層が印刷されていない領域は光が前後に透過する透光領域部２０としてある。透光領域部２０は例えば横長矩形状をなし、そのサイズは例えば一般的な２４形の液晶表示装置の表示面サイズに合致させてある。
【００１７】
メインパネル１０の裏面側には、図４に示すように、２本の縦フレーム１２間に渡して横フレーム板２１が固定されており、この横フレーム板２１とメインパネル１０との間の空間に平面ディスプレイ装置に相当する液晶表示装置３０が固定されている。この液晶表示装置３０は、画像表示面が上述のメインパネル１０の透光領域部２０とぴったり一致するように固定されており、メインパネル１０を前方から見ると、メインパネル１０の透光領域部２０を透かして液晶表示装置３０の画像表示面を見ることができる。
【００１８】
なお、前記スタンド１７の下部には、ワイヤバスケット３１が前後のＵ字状引掛け部３２，３２を横フレーム１３及び補強横フレーム１６に引っ掛けることで保持されており、このワイヤバスケット３１内に上記液晶表示装置３０の表示を制御するための画像表示制御装置３３が収められている。この画像表示制御装置３３は、例えばＵＳＢインターフェースを備え液晶表示装置３０に表示させる画像データを外付けのＵＳＢメモリーを介して取り込むことができる。
【００１９】
一方、メインパネル１０の周縁部の前面側には、次の構成のシート押さえ機構３５が設けられている。すなわち、図６に示すようにメインパネル１０の周縁フレーム１１の外周縁部には、メインパネル１０の各辺の延長方向に沿って延びる支軸３６がアルミニウム合金の押し出し成型によって一体に形成されている。支軸３６の近傍にはそれに沿って板バネ受け溝３７がやはり押し出し成型によって連続的に形成されている。支軸３６には押さえ縁部材３８が回動可能に保持されている。この押さえ縁部材３８も、アルミニウム合金の押し出し成型によって製造したもので、支軸３６を受ける軸受け部３９とバネ架け部４０とを一体に有しており、軸受け部３９に支軸３６を嵌め込むとともに、図６に示すように、バネ架け部４０に周縁フレーム１１の板バネ受け溝３７との間に板バネ４１を弾性的な湾曲状態で保持している。板バネ４１は、押さえ縁部材３８が同図二点差線で示す開放状態から実線で示す閉鎖状態に推移する過程でより小さな曲率で湾曲する中間状態を有するように設定され（板バネ受け溝３７の溝底部の形状設定により可能である）、開放状態と閉鎖状態との双方において板バネ４１の弾発力によってその状態が保持されるようになっている。
【００２０】
各押さえ縁部材３８はその回動端（支軸３６とは反対側の端部）を、上記板バネ４１の弾発力によってメインパネル１０の表面に弾性的に押し付けることができる。図６に示すように、メインパネル１０には表示シート５０が重ねられ、さらにその表示シート５０をメインパネル１０の前面との間で挟む透光シート５１が重ねられ、その状態で押さえ縁部材３８の回動端３８Ａが透光シート５１の周縁部をメインパネル１０の前面側に押し付ける。周縁フレーム１１には、受けリブ５２がメインパネル１０の周縁部に沿って形成されており、図６に示すように、押さえ縁部材３８によって透光シート５１を介して押さえ込まれた表示シート５０が上記受けリブ５２に支えられ、これにより表示シート５０がメインパネル１０と透光シート５１との間に挟まれてメインパネル１０に保持されている。なお、計４本の押さえ縁部材３８を開放することにより、透光シート５１ひいては表示シート５０をメインパネル１０の前面から取り外すことができ、これにて表示シート５０の交換が可能である。
【００２１】
さて、本実施形態の広告用表示パネルは次のように使用することができる。まず、広告情報を印刷等によって表示した広告用の表示シート５０を準備する。例えば図７にカフェ用のメニューポスターをイメージして例示してある。この表示シート５０は例えばＢ１ポスターサイズの紙製であって、メインパネル１０の投光領域部２０に対応させたサイズの開口部５５（図７に交差斜線によって表示した領域）が形成されている。開口部５５以外の領域には、標準的なランチメニューや喫茶メニューを記載した固定メニュー部５６や人物イラスト５７等の固定表示部が印刷によって形成されている。開口部５５の周りには人物イラスト５７から出た、吹き出し枠５８が形成され、同枠５８内は他の部分とは異なる地色としてある。
【００２２】
上記表示シート５０は、各押さえ縁部材３８を開放させてメインパネル１０の前面に宛がい、その状態で透光シート５１を重ねて各押さえ縁部材３８を閉じれば、メインパネル１０の前面に保持することができる。その表示シート５０の保持状態では、表示シート５０の開口部５５を透かして透光領域部２０ひいては液晶表示装置３０の表示画面を見ることができる。
【００２３】
そこで、画像表示制御装置３３に図示しないＵＳＢメモリーをセットして、表示すべき画像データを読み込ませ、画像表示制御装置３３において所定の起動操作を行えば、液晶表示装置３０の表示画面に画像が表示される。この液晶表示装置３０には、表示シート５０の固定表示部に表示されている内容と関連付けた画像を表示させればよく、例えば固定表示部に記載されている人物イラスト５７のコックがあたかもお薦めメニューを説明しているように、例えば「本日のおすすめ」の文字と共にお薦め品の写真画像を表示させる。この写真画像は、各種用意しておき、順次、適切な時間間隔で切り換え、繰り返し表示することができる。
【００２４】
このように本実施形態の広告用表示パネルによれば、Ｂ１ポスターサイズに相当するメインパネル１０の表示領域の全体を利用して、大きな広告表示を行うことができる。しかも、メインパネルを前面から見る者にとっては、メインパネルに表示されている表示シート５０と液晶表示装置３０に表示される情報（おすすねメニューの写真画像）とが一体化して視認され、一部で画像が動いているから、全体としては、あたかもメインパネル１０に相当する大きさの液晶表示装置３０があるようにも見える。このため、メインパネル１０の全体が平面ディスプレイであるものと遜色ない訴求力が発揮され、高い広告効果を得ることができる。
【００２５】
もちろん、それでいながら、液晶表示装置３０はメインパネル１０の一部領域のサイズのものでよいから、大幅に低いコストで製造することができ、かつ、軽量となって移動や収納時の取り扱い性にも優れる。
【００２６】
加えて、本実施形態では、シート押さえ機構３５を、メインパネル１０の四辺において各辺の延長方向に沿って延びる支軸３６に回動可能に支持された押さえ縁部材３８によって透光シート５１の周縁部を押さえる構成としたから、表示シート５１の交換作業は４本の押さえ縁部材３８を回動させて開放するのみであり、極めて簡単に行うことができる。
【００２７】
＜他の実施形態＞
本考案は上記記述及び図面によって説明した実施形態に限定されるものではなく、例えば次のような実施形態も本考案の技術的範囲に含まれる。
【００２８】
（１）上記実施形態では、メインパネル１０を透明な合成樹脂パネルによって形成して投光領域部２０以外に遮光部を形成する構成としたが、これに限らず、メインパネルを例えばアルミ合金板等の金属板によって構成し、そのメインパネルに開口部を形成してそれを投光領域部としてもよい。
【００２９】
（２）また、シート押さえ機構３５としては、本実施形態に示したような、四辺に押さえ縁部材３８を開閉可能に設けるに限らず、例えば上下又は左右に延びる一対の溝部材を設け、その溝部材によって表示シートや透光シートを挟んで交換可能に保持する構成でも良い。
【００３０】
（３）上記実施形態では平面ディスプレイ装置として液晶表示装置を利用した例を示したが、これに限らず、プラズマディスプレイ装置やＥＬ表示装置等の平面ディスプレイ装置であれば広く利用することができる。
【符号の説明】
【００３１】
１０…メインパネル（合成樹脂パネル）
１７…スタンド
２０…投光領域部
３０…液晶表示装置（平面ディスプレイ装置）
３３…画像表示制御装置
３５…シート押さえ機構
３６…支軸
３８…押さえ縁部材
４１…板バネ（スプリング）
５０…表示シート
５１…透光シート
【図１】
0003155354.tif 000003
【図２】
0003155354.tif 000004
【図３】
0003155354.tif 000005
【図４】
0003155354.tif 000006
【図５】
0003155354.tif 000007
【図６】
0003155354.tif 000008
【図７】
0003155354.tif 000009
【図８】
0003155354.tif 000010